(57)【要約】  【課題】  ユーザの選択により、読取速度を優先した読取処理と、画質を優先した読取処理との実行が可能な画像読取装置を提供する。  【解決手段】  通常読取が設定された場合には（Ｓ１：ＹＥＳ）、読み取った画像データを一時的に記憶しておくバッファメモリに空き領域がなくなり、読取処理が中断された場合、バッファメモリに空き領域ができた時点で読取処理を続行する。また、高画質読取が設定された場合には（Ｓ１：ＮＯ）、読み取った画像データを一時的に記憶しておくバッファメモリに空き領域がなくなった場合、読取処理を一旦終了し、読取速度を遅くして再度読取処理を実行する。【選択図】      図３
2005045556.tif 000002
【特許請求の範囲】
【請求項１】
複数の読取条件に従って画像を読み取り、画像データを取得する読取手段を備える画像読取装置において、
前記複数の読取条件を夫々含む２つの読取モードから一方を選択する選択手段と、
該選択手段が選択した読取モードに含まれる読取条件に応じた読取速度で画像を読み取るべく前記読取手段を制御する制御手段とを備えることを特徴とする画像読取装置。
【請求項２】
前記２つの読取モードから一方の選択を受け付ける受付手段を備え、
前記選択手段が、前記受付手段が受け付けた選択に従った読取モードを選択するように構成してあることを特徴とする請求項１に記載の画像読取装置。
【請求項３】
前記読取手段が取得した画像データを記憶する記憶手段と、
該記憶手段に空き領域が存在するか否かを判断する判断手段とを備え、
前記制御手段は、前記選択手段が所定の読取モードを選択し、前記判断手段にて空き領域が存在しないと判断した場合に、前記読取速度よりも遅い読取速度で画像を再読取すべく前記読取手段を制御するように構成してあることを特徴とする請求項１又は２に記載の画像読取装置。
【請求項４】
画像を読み取り、画像データを取得する読取手段を備える画像読取装置において、
複数の読取速度から１つの読取速度の選択を受け付ける速度受付手段と、
該速度受付手段が受け付けた選択に従った読取速度で画像を読み取るべく前記読取手段を制御する制御手段とを備えることを特徴とする画像読取装置。
【発明の詳細な説明】
【技術分野】
【０００１】
本発明は、選択された読取モードに含まれる読取条件に応じて、画像を読み取り画像データを取得する際の読取速度を変更する画像読取装置に関するものである。
【背景技術】
【０００２】
所定の載置台に載置された原稿画像を読み取り、デジタルの画像データを取得するスキャナが提供されており、このようなスキャナが、取得した画像データをケーブル等を介して接続されるコンピュータに送信することにより、前記画像データをコンピュータにおいて利用することができる。
【０００３】
上述したスキャナにおいては、原稿画像を読み取り、順次取得する画像データを一時的にメモリに記憶しておき、前記ケーブルにおける所定の通信速度に応じたタイミングでコンピュータへ送信するように構成されている。
【０００４】
また、スキャナは、読取対象である原稿画像１枚分のデータ量よりも少ない記憶容量のメモリしか備えていない場合があり、このような構成のスキャナにおいては、載置台に載置された原稿画像の読取処理と、メモリに記憶された画像データをコンピュータへ送信する送信処理とを並列に行なうことにより、原稿画像から読み取った画像データを順次コンピュータへ送信している。
【０００５】
ここで、一般に、スキャナが原稿画像から画像データを取得する際の読取速度は、スキャナからコンピュータへ画像データを送信する際の送信速度よりも速い場合が多く、スキャナは、原稿画像から読み取られた画像データを記憶するメモリに空き領域がない場合には、メモリに空き領域ができるまで原稿画像の読取処理を中断するように構成されている。
【０００６】
しかし、原稿画像の読取処理を停止し、前記メモリに空き領域ができたことにより原稿画像の読取処理を続行した場合には、原稿画像中の読取処理を中断した位置において画質の劣化が生じるおそれがある。具体的には、このように読取処理を中断して読み取られた画像データを記録用紙等に記録した場合には、つなぎ目の位置に筋が生じる場合がある。
【０００７】
そこで、原稿画像を読み取る際の解像度に基づいて、原稿画像の読取速度を変更することにより、原稿画像の読取処理を中断することなく、高画質の画像データを取得するように構成されたスキャナが提案されている（例えば、特許文献１参照）。具体的には、高解像度での読取処理を行なう場合には、読取速度を遅くするように構成してある。
【特許文献１】特開平８−３３５２６３号公報
【発明の開示】
【発明が解決しようとする課題】
【０００８】
しかし、上述した特許文献１に開示されているスキャナは、原稿画像を読み取る際の解像度に基づいて読取速度を決定しているため、読み取った画像データを外部の装置、例えばコンピュータへ送信する際の送信速度が何らかの理由により変動した場合には対応することができず、確実に原稿画像の読取処理の中断を防止することはできないという問題がある。
【０００９】
また、高解像度で画像の読取処理を行なう際には、ユーザが、画質よりも読取速度を優先したい場合であっても、設定された読取速度よりも速い速度での読取処理を行なうことはできないという問題がある。
【００１０】
本発明は斯かる事情に鑑みてなされたものであり、画像を読み取る際に選択された読取モードに応じた読取速度での読取処理を行なうことにより、例えば、読取速度を優先した読取処理が選択された場合と、画質を優先した読取処理が選択された場合とにおいて、異なる読取速度での読取処理を行なう画像読取装置を提供することを目的とする。
【００１１】
また、本発明の他の目的は、このような読取モードをユーザの選択にて設定することにより、ユーザが所望する読取モードに従った速度での読取処理を行なう画像読取装置を提供することにある。
【課題を解決するための手段】
【００１２】
第１発明に係る画像読取装置は、複数の読取条件に従って画像を読み取り、画像データを取得する読取手段を備える画像読取装置において、前記複数の読取条件を夫々含む２つの読取モードから一方を選択する選択手段と、該選択手段が選択した読取モードに含まれる読取条件に応じた読取速度で画像を読み取るべく前記読取手段を制御する制御手段とを備えることを特徴とする。
【００１３】
第１発明による場合は、画像を読み取り、画像データを取得する読取手段が画像を読み取る際に従う複数の読取条件を夫々含む２つの読取モードから一方を選択し、制御手段が、選択した読取モードに含まれる読取条件に応じた読取速度で画像を読み取るように読取手段を制御することにより、選択された読取モードに基づいて画像の読取速度を変更することができる。従って、例えば、画像を読み取る際の解像度が同一であっても、読取速度を優先した読取モードが選択された場合と、画質を優先した読取モードが選択された場合とにおいて、異なる読取速度での読取処理を実現することができる。
【００１４】
第２発明に係る画像読取装置は、前記２つの読取モードから一方の選択を受け付ける受付手段を備え、前記選択手段が、前記受付手段が受け付けた選択に従った読取モードを選択するように構成してあることを特徴とする。
【００１５】
第２発明による場合は、２つの読取モードから一方の選択を受付手段が受け付け、受け付けた選択に従った読取モードを選択手段が選択することにより、画像の読取速度を特定するための読取モードの選択を外部から受け付けることが可能であり、ユーザにより選択された読取モードにおける各読取条件に従った速度での読取処理を行なうことができる。
【００１６】
第３発明に係る画像読取装置は、前記読取手段が取得した画像データを記憶する記憶手段と、該記憶手段に空き領域が存在するか否かを判断する判断手段とを備え、前記制御手段は、前記選択手段が所定の読取モードを選択し、前記判断手段にて空き領域が存在しないと判断した場合に、前記読取速度よりも遅い読取速度で画像を再読取すべく前記読取手段を制御するように構成してあることを特徴とする。
【００１７】
第３発明による場合は、選択手段が所定の読取モードを選択している場合で、読み取った画像データを一時的に記憶しておく記憶手段に空き領域がないと判断手段が判断し、画像の読取処理を中断する必要がある場合に、読取速度を遅い読取速度に変更して画像を再読取することにより、画像の読取処理を中断することがない読取速度での読取処理を行なうことが可能となり、読み取った画像データの劣化を防止することができる。
【００１８】
また、前記所定の読取モードとは異なる読取モードが選択されている場合には、読取処理を中断した場合であっても、記憶手段に空き領域ができた時点で読取処理を続行させることにより、高速な読取処理を実現することができる。
【００１９】
第４発明に係る画像読取装置は、画像を読み取り、画像データを取得する読取手段を備える画像読取装置において、複数の読取速度から１つの読取速度の選択を受け付ける速度受付手段と、該速度受付手段が受け付けた選択に従った読取速度で画像を読み取るべく前記読取手段を制御する制御手段とを備えることを特徴とする。
【００２０】
第４発明による場合は、複数の読取速度から１つの読取速度の選択を受け付け、制御手段が、受け付けた読取速度で画像を読み取るように読取手段を制御することにより、選択された読取速度での読取速度が可能となる。
【００２１】
従って、例えば、選択された読取速度での画像の読取処理が中断した場合には、ユーザが更に遅い読取速度を選択することにより、画像の読取処理を中断することがない読取速度での読取処理を行なうことが可能となり、読み取った画像データの劣化を防止することができる。
【発明の効果】
【００２２】
第１発明による場合は、画像を読み取る際に従う複数の読取条件を夫々含む２つの読取モードから一方を選択し、選択された読取モードに含まれる読取条件に応じた読取速度で画像を読み取ることにより、選択された読取モードに基づいて画像の読取速度を変更することができる。従って、例えば、画像を読み取る際の解像度が同一であっても、読取速度を優先した読取モードが選択された場合と、画質を優先した読取モードが選択された場合とにおいて、異なる読取速度での読取処理を実現することができる。
【００２３】
第２発明による場合は、２つの読取モードから一方の選択を受け付け、受け付けた選択に従った読取モードを選択手段が選択することにより、画像の読取速度を特定するための読取モードの選択を外部から受け付けることが可能であり、ユーザにより選択された読取モードにおける各読取条件に従った速度での読取処理を行なうことができる。
【００２４】
第３発明による場合は、所定の読取モードが選択されている場合で、読み取った画像データを一時的に記憶しておく記憶手段に空き領域がなく、画像の読取処理を中断する必要がある場合に、読取速度を遅い読取速度に変更して画像を再読取することにより、画像の読取処理を中断することがない読取速度での読取処理を行なうことが可能となり、読み取った画像データの劣化を防止することができる。また、前記所定の読取モードとは異なる読取モードが選択されている場合には、読取処理を中断した場合であっても、記憶手段に空き領域ができた時点で読取処理を続行させることにより、高速な読取処理を実現することができる。
【００２５】
第４発明による場合は、複数の読取速度から１つの読取速度の選択を受け付け、受け付けた読取速度で画像を読み取ることにより、選択された読取速度での読取速度が可能となる。従って、例えば、選択された読取速度での画像の読取処理が中断した場合には、ユーザが更に遅い読取速度を選択することにより、画像の読取処理を中断することがない読取速度での読取処理を行なうことが可能となり、読み取った画像データの劣化を防止することができる。
【発明を実施するための最良の形態】
【００２６】
（実施の形態１）
以下に、本発明に係る画像読取装置を、デジタルカラースキャナにおける実施の形態１を示す図面に基づいて詳述する。図１は実施の形態１に係るデジタルカラースキャナの構成例を示すブロック図であり、図中１はデジタルカラースキャナ（以下、スキャナという）を示している。
【００２７】
このスキャナ１は、制御部１０、ＲＯＭ１１、ＲＡＭ１２、バッファメモリ１３、ケーブル３ａを介してＰＣ３に接続するためのＰＣインタフェース１４、モータ１５、操作部１６、読取部（読取手段）２等を備えており、夫々はバス１７を介して相互に接続されている。
【００２８】
制御部１０は、具体的にはＣＰＵ(Central Processing Unit) 等で構成され、自身に備える時計手段（図示せず）にて所定のタイミングを計時しながら、バス１７を介して接続される上述したようなハードウェア各部を制御すると共に、ＲＯＭ１１に格納された制御プログラムに従って、種々のソフトウェア的機能を実行する。
【００２９】
ＲＯＭ１１は、本実施の形態に係るスキャナ１の動作として必要な種々の制御プログラムを記憶している。
【００３０】
ＲＡＭ１２は、ＳＲＡＭ又はフラッシュメモリ等で構成され、制御部１０による各制御プログラムの実行時に発生するデータを一時的に記憶する。
【００３１】
操作部１６は、スキャナ１の操作のために必要な情報を表示する液晶パネル等の表示部１６ａと、ユーザの操作により制御命令などの情報が入力されるタッチパネル又はテンキー等の入力部１６ｂとにより構成してある。
【００３２】
尚、本実施の形態のスキャナ１は、ユーザの選択により、読取モードとして、原稿画像を通常読取モードで読み取るか、高画質読取モードで読み取るかの設定が可能に構成してあり、表示部１６ａには、通常読取モードを設定するためのボタン及び高画質読取モードを設定するためのボタンが表示してある。従って、操作部１６は、ユーザが選択した読取モードを受け付ける受付手段として動作する。
【００３３】
また、入力部１６ｂは、ユーザがオンした一方のボタンに従って、通常読取モード又は高画質読取モードの設定指示を制御部１０へ通知し、この通知に従って、制御部１０は、通常読取モード及び高画質読取モードの一方を選択する選択手段として動作し、選択した読取モードに対応する読取条件での読取処理を実行する。
【００３４】
読取部２は、イメージセンサ２０、ＡＦＥ（Analog Front End：アナログ・フロント・エンド）２１、Ａ／Ｄ（アナログ／デジタル）変換器２２、画像処理部２３等を備えており、後述するように、イメージセンサ２０が読取対象の原稿からの反射光を、ＲＧＢ（Ｒ：赤，Ｇ：緑，Ｂ：青）方式のアナログ信号として読み取り、読み取ったアナログ信号をＡＦＥ２１に入力する。
【００３５】
ＡＦＥ２１は、増幅回路（図示せず）、サンプルホールド回路（図示せず）等を備え、イメージセンサ２０により読み取られたアナログ信号を、増幅回路により所定の大きさに増幅し、この増幅されたアナログ信号を、サンプルホールド回路により一定のタイミング毎にサンプルホールドし、この各値をＡ／Ｄ変換器２２に入力する。
【００３６】
Ａ／Ｄ変換器２２は、ＡＦＥ２１から取得したアナログ信号をデジタル信号に変換し、画像処理部２３に入力する。尚、本実施の形態においては、Ａ／Ｄ変換器２２は、ＡＦＥ２１から入力されたアナログ信号を８ビットのデジタル信号に変換しており、生成したカラー画像データを画像処理部２３に入力する。
【００３７】
画像処理部２３は、Ａ／Ｄ変換器２２から入力されたデジタル信号に、読取部２に含まれる照明系、結像系及び撮像系で生じた各種の歪みを取り除くシェーディング補正処理、各種の色調整処理等を行い、処理した画像データをバッファメモリ１３に記憶させる。
【００３８】
バッファメモリ１３は、ＤＲＡＭ等により構成されており、読取部２により読み取られた画像データを一時的に記憶する記憶手段として動作する。尚、バッファメモリ１３は、読取部２の読取対象である原稿１枚分の画像データのデータ量よりも少ない記憶容量しか有しておらず、スキャナ１は、読取部２から入力される画像データの記憶処理と、所定のタイミングで、バッファメモリ１３に記憶してある画像データをＰＣインタフェース１４からＰＣ３へ送信する処理とを並列に行なっている。
【００３９】
図２は読取部２の構成例を示す図であり、図２（ａ）の概観斜視図に示すように、読取部２は、直方体型の筺体２ｂと、筺体２ｂ上面の一辺に開閉自在に取り付けられたプラテンカバー２ａと、筺体２ｂ上面に設けられた長方形型のプラテンガラス（原稿載置台）３０とを備えている。
【００４０】
この読取部２は、プラテンカバー２ａを開けて原稿をプラテンガラス３０上に載置し、プラテンカバー２ａを閉じて、プラテンガラス３０上に原稿が静止した状態で読取を行う。
【００４１】
図２（ｂ）は読取部２の内部構成例を示すブロック図であり、図２（ｂ）は図２（ａ）において矢符Ａで示す方向から見た図を示している。
【００４２】
読取部２の筺体２ｂの内部には、白色蛍光灯及び冷陰極管等からなり、プラテンガラス３０上に載置された原稿に光を照射する光源ランプ３１、原稿画像（画像）からの反射光の光路ｚを変更する板状の第１ミラー３２、第２ミラー３４及び第３ミラー３５を、夫々所定の位置で、長手方向を主走査方向（図２（ａ）中のｘで示す方向）に平行に配置してある。
【００４３】
上述した光源ランプ３１及び第１ミラー３２は、図中の矢符ｙで示す副走査方向に、プラテンガラス３０の一端部をホームポジションとして、このホームポジションから他端部までの移動が可能なキャリッジ３３に搭載されている。
【００４４】
また、筺体２ｂの内部には、第１ミラー３２、第２ミラー３４及び第３ミラー３５により光路ｚが変更された原稿画像からの反射光を集光する結像レンズ３６と、結像レンズ３６を通して入射される前記反射光を取得するＣＣＤ(Charge Coupled Device) ラインセンサ等からなるイメージセンサ２０とを備えている。
【００４５】
ここで、キャリッジ３３は、キャリッジ３３の制御手段としてのモータ１５（図１参照）からの駆動により副走査方向ｙへの移動が可能に構成されており、読取部２は、第１ミラー３２、第２ミラー３４及び第３ミラー３５により反射された原稿画像からの反射光を、主走査方向ｘの１ライン分ずつイメージセンサ２０により取り込み、キャリッジ３３の副走査方向ｙへの移動に従って１枚分の原稿画像の読み取りを行なっている。
【００４６】
尚、イメージセンサ２０が主走査方向ｘの１ライン分の画像データを読み取る際の読取速度を変更することは困難であるため、キャリッジ３３の移動速度を変更することにより読取部２による原稿画像の読取速度の変更を図っている。
【００４７】
上述した構成のスキャナ１においては、制御部１０は、読取部２により読み取られた画像データを記憶するバッファメモリ１３に空き領域があるか否かを判断する判断手段として動作しており、ユーザが操作部１６を操作することにより通常読取モードが設定され、原稿画像の読取処理の際に、バッファメモリ１３に空き領域がなくなった場合、読取部２による読取処理を中断し、バッファメモリ１３に空き領域ができた時点で読取処理を続行する。
【００４８】
このように、通常読取モードが設定された場合には、読取部２による読取処理が中断する場合があり、画質の劣化を生じるおそれがあるが、読取処理を高速に行なうことができる。
【００４９】
一方、制御部１０は、高画質読取モードが設定され、原稿画像の読取処理の際に、バッファメモリ１３に空き領域がなくなった場合、読取部２による読取処理を一旦終了し、当該読取処理における読取速度よりも遅い読取速度にてキャリッジ３３を移動させることにより再度読取処理を行なうべくモータ１５を動作させる。
【００５０】
このように、高画質読取モードが設定された場合には、読取部２による読取処理が中断された場合に、より遅い読取速度にて改めて読取処理を行なうため、画質の劣化を生じない読取処理を行なうことができる。
【００５１】
尚、上述したように、通常読取モードが選択された場合の読取処理における読取速度、高画質読取モードが選択された場合の読取処理における読取速度及び、高画質読取モードでの読取処理が中断された場合に改めて行なう読取処理における読取速度は、ＲＯＭ１１に予め記憶してある。
【００５２】
尚、これらの３つの読取速度に限られず、段階的に速くなる３つ以上の読取速度を記憶しておくことも可能である。
【００５３】
以下に、上述した構成のスキャナ１における原稿画像の読取処理について説明する。図３は実施の形態１に係るスキャナ１による原稿画像の読取処理手順を示すフローチャートである。
【００５４】
ユーザは、上述した構成のスキャナ１を用いて原稿画像から画像データを取得する場合、所定の位置に原稿画像を載置し、操作部１６に備える各種の設定キーを操作することにより、原稿画像を読み取る際の読取モードを、通常読取モード又は高画質読取モードに設定し、スタートキー（図示せず）をオンする。
【００５５】
制御部１０は、スタートキーがオンされた場合、ユーザにより通常読取モードが設定されたか否かを判断しており（Ｓ１）、通常読取モードが設定されたと判断した場合（Ｓ１：ＹＥＳ）、光源ランプ３１を点灯させ、通常読取モードが設定された場合の読取速度をＲＯＭ１１から読み出して、この読取速度に応じた速度にてモータ１５を駆動させ（Ｓ２）、キャリッジ３３を移動させることにより原稿画像の読取処理を開始し、主走査方向ｘに１ライン分の画像データを読み取る（Ｓ３）。
【００５６】
次に制御部１０は、１枚分の画像データの読取が終了したか否かを判断しており（Ｓ４）、１枚分の読取が終了した場合（Ｓ４：ＹＥＳ）、光源ランプ３１を消灯させてモータ１５を停止させて原稿画像の読取を終了する（Ｓ５）。
【００５７】
１枚分の読取が終了していない場合（Ｓ４：ＮＯ）、制御部１０は、バッファメモリ１３に空き領域がないか否かを判断しており（Ｓ６）、バッファメモリ１３に空き領域がある場合（Ｓ６：ＮＯ）、ステップＳ３に戻り、主走査方向ｘに１ライン分の画像データを順次読み取る。
【００５８】
また、バッファメモリ１３に空き領域がない場合（Ｓ６：ＹＥＳ）、制御部１０は、モータ１５を停止させることにより（Ｓ７）、キャリッジ３３を停止させて原稿画像の読取処理を中断する。
【００５９】
制御部１０は、所定のタイミングにて、バッファメモリ１３に空き領域ができたか否かを判断しており（Ｓ８）、空き領域がない場合（Ｓ８：ＮＯ）、空き領域ができるまで待機しており、空き領域ができた場合（Ｓ８：ＹＥＳ）、モータ１５を駆動させ（Ｓ９）、キャリッジ３３を移動させることにより原稿画像の読取処理を続行し、１枚分の読取が終了するまで、ステップＳ３からＳ９までの処理を繰り返す。
【００６０】
一方、ステップＳ１で、通常読取モードが設定されていない場合（Ｓ１：ＮＯ）、即ち、高画質読取モードが設定されている場合、制御部１０は、光源ランプ３１を点灯させ、高画質読取モードが設定された場合の読取速度をＲＯＭ１１から読み出して、この読取速度に応じた速度にてモータ１５を駆動させ（Ｓ１０）、キャリッジ３３を移動させることにより原稿画像の読取処理を開始し、主走査方向ｘに１ライン分の画像データを読み取る（Ｓ１１）。
【００６１】
次に制御部１０は、１枚分の画像データの読取が終了したか否かを判断しており（Ｓ１２）、１枚分の読取が終了した場合（Ｓ１２：ＹＥＳ）、光源ランプ３１を消灯させてモータ１５を停止させて原稿画像の読取を終了する（Ｓ１３）。
【００６２】
１枚分の読取が終了していない場合（Ｓ１２：ＮＯ）、制御部１０は、バッファメモリ１３に空き領域がないか否かを判断しており（Ｓ１４）、バッファメモリ１３に空き領域がある場合（Ｓ１４：ＮＯ）、ステップＳ１１に戻り、主走査方向ｘに１ライン分の画像データを順次読み取る。
【００６３】
また、バッファメモリ１３に空き領域がない場合（Ｓ１４：ＹＥＳ）、制御部１０は、モータ１５を停止させることにより（Ｓ１５）、キャリッジ３３を停止させて原稿画像の読取処理を一旦終了する。
【００６４】
制御部１０は、ステップＳ１０でＲＯＭ１１から読み出した読取速度よりも遅い速度をＲＯＭ１１から読み出し（Ｓ１６）、キャリッジ３３をホームポジションへ移動させ（Ｓ１７）、ステップＳ１６で読み出した読取速度に応じた速度にてモータ１５を駆動させ（Ｓ１８）、キャリッジ３３を移動させることにより原稿画像の読取処理を再度開始し、主走査方向ｘに１ライン分の画像データを読み取り（Ｓ１１）、１枚分の読取が終了するまで、ステップＳ１１からＳ１８までの処理を繰り返す。
【００６５】
上述したように、高画質読取モードでの読取処理が設定された場合であって、バッファメモリ１３に空き領域がなくなることにより読取処理が中断された場合に、より遅い読取速度にてキャリッジ３３を制御することにより、画質の劣化を防止した読取処理を行なうことができる。また、通常読取モードが設定された場合には、読取処理が中断した場合であっても、読取処理のやり直しを行なわず、高速な読取処理を実現することができる。
【００６６】
上述した実施の形態では、スキャナ１は、原稿画像から読み取った画像データをＰＣ３へ送信する構成について説明しているが、ＰＣ３に限られず、例えば、プリンタ装置等の外部の装置へ送信する構成についても同様の効果が得られる。また、スキャナ１は、デジタルカラースキャナに限られず、原稿画像をモノクロの画像データとして取得する構成のスキャナであってもよい。
【００６７】
また、上述した実施の形態では、複数の読取速度を予めＲＯＭ１１に記憶してあるが、原稿画像の読取処理の際に、読取処理を中断させないキャリッジ３３の移動速度を、ＰＣインタフェース１４を介してＰＣ３へ画像データを送信する際の通信速度、また、原稿画像の読取処理を中断した際に停止したキャリッジ３３の副走査方向ｙにおける位置に基づいて、読取処理を中断しないキャリッジ３３の移動速度を算出する構成とすることもできる。
（実施の形態２）
以下に、本発明に係る画像読取装置をデジタルカラースキャナにおける実施の形態２を示す図面に基づいて詳述する。尚、本実施の形態におけるスキャナ１の構成は、上述した実施の形態１のスキャナ１と同様であるため説明を省略する。
【００６８】
図４は実施の形態２に係るスキャナ１が備える表示部１６ａに表示される読取速度設定画面の構成例を示す図である。
【００６９】
本実施の形態のスキャナ１は、ユーザの選択により、原稿画像を読み取る際の読取速度を設定することが可能に構成してあり、表示部１６ａには、図４（ａ）に示すように、主走査方向ｘに１ライン分の画像データを５ｍ秒で読み取る設定を行なうための「標準速度」ボタン、この標準速度に対して２倍遅く、即ち、主走査方向ｘに１ライン分の画像データを１０ｍ秒で読み取る設定を行なうための「２倍遅く」ボタン、同様に「３倍遅く」ボタン、また、標準速度に対して２倍速く、即ち、主走査方向ｘに１ライン分の画像データを２．５ｍ秒で読み取る設定を行なうための「２倍速く」ボタン、同様に「３倍速く」ボタンが表示してある。従って、操作部１６は、ユーザが選択した読取速度を受け付ける速度受付手段として動作する。
【００７０】
また、入力部１６ｂは、ユーザが表示部１６ａに表示された各ボタンを操作した場合に、操作されたボタンに割り当てられた読取速度を制御部１０へ通知し、これにより、制御部１０は、通知された読取速度による読取処理を実行する。
【００７１】
更に、本実施の形態のスキャナ１は、実施の形態１で説明したスキャナ１と同様に、ユーザにより、原稿画像の読取モードとして通常読取モード、又は高画質読取モードの設定が可能に構成してあり、表示部１６ａには通常読取モードを設定するためのボタン及び高画質読取モードを設定するためのボタン（図示せず）も表示してある。
【００７２】
従って、スキャナ１の制御部１０は、ユーザにより通常読取モードが設定され、原稿画像の読取処理の際に、バッファメモリ１３に空き領域がなくなり、読取処理が中断された場合には、読取部２による読取処理を中断し、バッファメモリ１３に空き領域ができた時点で読取処理を続行する。
【００７３】
このように、通常読取モードが設定された場合には、読取部２による読取処理が中断する場合があり、画質の劣化を生じるおそれがあるが、読取処理を高速に行なうことができる。
【００７４】
一方、制御部１０は、高画質読取モードが設定され、原稿画像の読取処理の際に、バッファメモリ１３に空き領域がなくなった場合、読取部２による読取処理を一旦終了し、図４（ｂ）に示す読取速度設定画面を表示部１６ａに表示させて、読取速度の再設定を行なうか否かをユーザから受け付けるように構成してある。
【００７５】
従って、制御部１０は、ユーザが「続行」ボタンをオンした場合には、上述した読取速度設定画面に従って設定された読取速度での読取処理を続行し、「やり直す」ボタンをオンした場合には、上述した読取速度設定画面を表示部１６ａに再度表示させ、読取速度の再設定を行ない、新たに設定された読取速度にてキャリッジ３３を移動させることにより再度読取処理を行なうべくモータ１５を動作させる。
【００７６】
このように、高画質読取モードが設定された場合には、読取部２による読取処理が中断された場合に、ユーザによる読取速度の設定を新たに行ない、変更された読取速度にて改めて読取処理を行なうため、画質の劣化を生じない読取処理を行なうことが可能となる。
【００７７】
尚、本実施の形態では、標準速度として主走査方向ｘに１ライン分の画像データを５ｍ秒で読み取る速度を用いているが、当然この速度に限られない。
【００７８】
以下に、上述した構成のスキャナ１における原稿画像の読取処理について説明する。図５及び図６は実施の形態２に係るスキャナ１による原稿画像の読取処理手順を示すフローチャートである。
【００７９】
ユーザは、上述した構成のスキャナ１を用いて原稿画像から画像データを取得する場合、所定の位置に原稿画像を載置し、操作部１６に備える各種の設定キーを操作することにより、読取速度、及び原稿画像を読み取る際の読取モードを、通常読取モード又は高画質読取モードに設定し、スタートキーをオンする。
【００８０】
制御部１０は、スタートキーがオンされた場合、ユーザにより通常読取モードが設定されたか否かを判断しており（Ｓ２１）、通常読取モードが設定されたと判断した場合（Ｓ２１：ＹＥＳ）、ユーザにより選択された読取速度を検知する（Ｓ２２）。
【００８１】
制御部１０は、光源ランプ３１を点灯させ、検知した読取速度に応じた速度にてモータ１５を駆動させ（Ｓ２３）、キャリッジ３３を移動させることにより原稿画像の読取処理を開始し、主走査方向ｘに１ライン分の画像データを読み取る（Ｓ２４）。
【００８２】
次に制御部１０は、１枚分の画像データの読取が終了したか否かを判断しており（Ｓ２５）、１枚分の読取が終了した場合（Ｓ２５：ＹＥＳ）、光源ランプ３１を消灯させてモータ１５を停止させて原稿画像の読取を終了する（Ｓ２６）。
【００８３】
また、１枚分の読取が終了していない場合（Ｓ２５：ＮＯ）、制御部１０は、バッファメモリ１３に空き領域がないか否かを判断しており（Ｓ２７）、バッファメモリ１３に空き領域がある場合（Ｓ２７：ＮＯ）、ステップＳ２４に戻り、主走査方向ｘに１ライン分の画像データを順次読み取る。また、バッファメモリ１３に空き領域がない場合（Ｓ２７：ＹＥＳ）、制御部１０は、モータ１５を停止させることにより（Ｓ２８）、キャリッジ３３を停止させて原稿画像の読取処理を中断する。
【００８４】
制御部１０は、所定のタイミングにて、バッファメモリ１３に空き領域ができたか否かを判断しており（Ｓ２９）、空き領域がない場合（Ｓ２９：ＮＯ）、空き領域ができるまで待機しており、空き領域ができた場合（Ｓ２９：ＹＥＳ）、モータ１５を駆動させ（Ｓ３０）、キャリッジ３３を移動させることにより原稿画像の読取処理を続行し、１枚分の読取が終了するまで、ステップＳ２４からＳ３０までの処理を繰り返す。
【００８５】
一方、ステップＳ２１で、通常読取モードが設定されていない場合（Ｓ２１：ＮＯ）、即ち、高画質読取モードが設定されている場合、制御部１０は、ユーザにより選択された読取速度を検知する（Ｓ３１）。
【００８６】
制御部１０は、光源ランプ３１を点灯させ、検知した読取速度に応じた速度にてモータ１５を駆動させ（Ｓ３２）、キャリッジ３３を移動させることにより原稿画像の読取処理を開始し、主走査方向ｘに１ライン分の画像データを読み取る（Ｓ３３）。また、制御部１０は、１枚分の画像データの読取が終了したか否かを判断しており（Ｓ３４）、１枚分の読取が終了した場合（Ｓ３４：ＹＥＳ）、光源ランプ３１を消灯させてモータ１５を停止させて原稿画像の読取を終了する（Ｓ３５）。
【００８７】
１枚分の読取が終了していない場合（Ｓ３４：ＮＯ）、制御部１０は、バッファメモリ１３に空き領域がないか否かを判断しており（Ｓ３６）、バッファメモリ１３に空き領域がある場合（Ｓ３６：ＮＯ）、ステップＳ３３に戻り、主走査方向ｘに１ライン分の画像データを順次読み取る。
【００８８】
また、バッファメモリ１３に空き領域がない場合（Ｓ３６：ＹＥＳ）、制御部１０は、モータ１５を停止させることにより（Ｓ３７）、キャリッジ３３を停止させて原稿画像の読取処理を一旦終了する。
【００８９】
次に制御部１０は、図４（ｂ）に示す読取速度設定画面を表示部１６ａに表示させ（Ｓ３８）、この読取速度設定画面に従ってユーザが「続行」ボタンをオンしたか否かを判断する（Ｓ３９）。
【００９０】
「続行」ボタンがオンされた場合（Ｓ３９：ＹＥＳ）、即ち、ユーザが、画質よりも読取速度を優先した場合、制御部１０は、所定のタイミングにて、バッファメモリ１３に空き領域ができたか否かを判断しており（Ｓ４０）、空き領域がない場合（Ｓ４０：ＮＯ）、空き領域ができるまで待機する。
【００９１】
制御部１０は、バッファメモリ１３に空き領域ができた場合（Ｓ４０：ＹＥＳ）、ステップＳ３１で検知した読取速度に応じた速度にてモータ１５を駆動させ（Ｓ４１）、キャリッジ３３を移動させることにより原稿画像の読取処理を続行し、１枚分の読取が終了するまで、ステップＳ３３からＳ４１までの処理を繰り返す。
【００９２】
一方、ステップＳ３９で「続行」ボタンがオンされない場合（Ｓ３９：ＮＯ）、即ち、ユーザが、読取速度よりも画質を優先するため、読取処理のやり直しを指示すべく「やり直す」ボタンをオンした場合、制御部１０は、図４（ａ）に示す読取速度設定画面を再度表示することによりユーザから読取速度の選択を受け付け、ユーザにより選択された読取速度を検知する（Ｓ４２）。
【００９３】
また、制御部１０は、キャリッジ３３をホームポジションへ移動させ（Ｓ４３）、ステップＳ４２で検知した読取速度に応じた速度にてモータ１５を駆動させ（Ｓ４４）、キャリッジ３３を移動させることにより原稿画像の読取処理を再度開始し、主走査方向ｘに１ライン分の画像データを読み取り（Ｓ３３）、１枚分の読取が終了するまで、ステップＳ３３からＳ４４までの処理を繰り返す。
【００９４】
上述したように、高画質読取モードでの読取処理が設定された場合であって、バッファメモリ１３に空き領域がなくなることにより読取処理が中断された場合に、ユーザによる読取速度の再設定を行ない、新たに設定された読取速度にてキャリッジ３３を制御することにより、画質の劣化を防止した読取処理を行なうことが可能となる。また、通常読取モードが設定された場合には、読取処理が中断した場合であっても、読取処理のやり直しを行なわず、高速な読取処理を実現することができる。
【００９５】
上述した実施の形態では、標準速度として、主走査方向ｘに１ライン分の画像データを５ｍ秒で読み取る速度が予め設定してあるが、原稿画像の読取処理の際に、読取処理を中断させないキャリッジ３３の移動速度を、ＰＣインタフェース１４を介してＰＣ３へ画像データを送信する際の通信速度、また、原稿画像の読取処理を中断した際に停止したキャリッジ３３の副走査方向ｙにおける位置に基づいて算出し、このように算出された移動速度を、次回からの読取処理における標準速度とすることもできる。
【００９６】
尚、上述した実施の形態２におけるスキャナ１においても、上述の実施の形態１で説明した変形例と同様の変形例の適用が可能である。
【００９７】
また、上述した実施の形態２では、ユーザにより設定された読取速度による読取処理が中断された場合に、改めてユーザにより読取速度の設定を行なっているが、最初の読取処理の際にユーザにより設定された読取速度から、所定の速度だけ遅くした読取速度にて読取処理のやり直しを行なう構成とすることもできる。
【図面の簡単な説明】
【００９８】
【図１】実施の形態１に係るスキャナの構成例を示すブロック図である。
【図２】（ａ）は読取部の概観斜視図であり、（ｂ）は読取部の内部構成例を示すブロック図である。
【図３】実施の形態１に係るスキャナによる原稿画像の読取処理手順を示すフローチャートである。
【図４】読取速度設定画面の構成例を示す図である。
【図５】実施の形態２に係るスキャナによる原稿画像の読取処理手順を示すフローチャートである。
【図６】実施の形態２に係るスキャナによる原稿画像の読取処理手順を示すフローチャートである。
【符号の説明】
【００９９】
１  スキャナ（画像読取装置）
２  読取部（読取手段）
１０  制御部（選択手段、判断手段）
１３  バッファメモリ（記憶手段）
１５  モータ（制御手段）
１６  操作部（受付手段、速度受付手段）
【図１】
2005045556.tif 000003
【図２】
2005045556.tif 000004
【図３】
2005045556.tif 000005
【図４】
2005045556.tif 000006
【図５】
2005045556.tif 000007
【図６】
2005045556.tif 000008